(57)【要約】【課題】携帯端末の幅を大きくすることなく、充電池を確実に防水しながら、伸縮式アンテナを配置できるようにする。【解決手段】背面側キャビネット４周縁におけるリアカバー５側の防水パッキン６による防水領域外にアンテナ収容凹部１０を凹陥し、伸縮式アンテナ１１を収容する。背面側キャビネット４背面の電池収容部４ｂ周縁に形成した防水シート貼付部４ｃに防水シート９の糊代９ａを貼り付け、電池収容部４ｂ内の充電池７を密閉状に覆う。側面視でアンテナ収容凹部１０を糊代９ａと防水パッキン６との間に配置し、背面視で糊代９ａをアンテナ収容凹部１０近傍まで延ばすと共に防水パッキン６と伸縮式アンテナ１１とを重ねる。【選択図】図１
2014068054.tif 000002
【特許請求の範囲】
【請求項１】
正面に表示部を収容する正面側キャビネットと、
上記正面側キャビネットの背面側に嵌合される背面側キャビネットと、
上記背面側キャビネットの電池収容部に収容される充電池と、
上記背面側キャビネットを覆うリアカバーと、
上記正面側キャビネット周縁と上記背面側キャビネット周縁との当接面に挟み込まれる防水パッキンと、
上記背面側キャビネット周縁における上記リアカバー側の上記防水パッキンによる防水領域外に凹陥されたアンテナ収容凹部と、
上記背面側キャビネット背面の上記電池収容部周縁に形成された防水シート貼付部と、
上記防水シート貼付部に周縁の糊代が貼り付けられ、上記電池収容部内の充電池を密閉状に覆う防水シートと、
上記アンテナ収容凹部に伸縮自在に収納される伸縮式アンテナとを備えており、
側面視で、上記アンテナ収容凹部は、上記防水シートの糊代と、上記防水パッキンとの間に配置され、
背面視で、上記糊代は上記アンテナ収容凹部近傍まで延び、上記防水パッキンと上記アンテナとが重なっている
ことを特徴とする携帯端末。
【発明の詳細な説明】
【技術分野】
【０００１】
本発明は、伸縮式アンテナを有する携帯端末に関するものである。
【背景技術】
【０００２】
従来より、アンテナを筐体内に伸縮自在に収納できる携帯端末は知られている。例えば、特許文献１では、回路フロントケースと固定リアケースとの間に防水パッキンを挟み込み、その防水領域の外側にアンテナを収容するようにしている。
【先行技術文献】
【特許文献】
【０００３】
【特許文献１】特開２００９−２６８１５４号公報
【発明の概要】
【発明が解決しようとする課題】
【０００４】
このように従来の携帯端末装置では、伸縮時にアンテナが通る孔を設ける必要があり、アンテナは、防水性能を確保するために防水パッキンの防水領域外にある。このため、充電池自体を防水するために充電池収容部の周縁に防水シートの糊代用防水シート貼付部を設けると、その分だけアンテナが外側に配置されてしまう。このため、幅の大きな充電池を設けることができないという問題がある。
【０００５】
本発明は、かかる点に鑑みてなされたものであり、その目的とするところは、携帯端末の幅を大きくすることなく、充電池を確実に防水しながら、伸縮式アンテナを配置できるようにすることにある。
【課題を解決するための手段】
【０００６】
上記の目的を達成するために、この発明では、アンテナ収容凹部と防水シート貼付部と防水パッキンとをできるだけ互いに近付けるようにした。
【０００７】
具体的には、第１の発明の携帯端末は、
正面に表示部を収容する正面側キャビネットと、
上記正面側キャビネットの背面側に嵌合される背面側キャビネットと、
背面側キャビネットの電池収容部に収容される充電池と、
上記背面側キャビネットを覆うリアカバーと、
上記正面側キャビネット周縁と上記背面側キャビネット周縁との当接面に挟み込まれる防水パッキンと、
上記背面側キャビネット周縁における上記リアカバー側の上記防水パッキンによる防水領域外に凹陥されたアンテナ収容凹部と、
上記背面側キャビネット背面の上記電池収容部周縁に形成された防水シート貼付部と、
上記防水シート貼付部に周縁の糊代が貼り付けられ、上記電池収容部内の充電池を密閉状に覆う防水シートと、
上記アンテナ収容凹部に伸縮自在に収納される伸縮式アンテナとを備えている。
【０００８】
そして、側面視で、上記アンテナ収容凹部は、上記防水シートの糊代と、上記防水パッキンとの間に配置され、
背面視で、上記糊代は上記アンテナ収容凹部近傍まで延び、上記防水パッキンと上記アンテナとが重なっている。
【０００９】
上記の構成によると、アンテナ収容凹部が防水パッキンの防水領域外にあるので、アンテナを伸縮自在にリアカバーで覆っても、内部に水が浸入しない。また、アンテナの位置を背面から見て防水パッキン上に設け、しかも、糊代をアンテナ収容凹部に近付けているので、無駄なスペースが省かれて携帯端末の幅が増えない。
【発明の効果】
【００１０】
以上説明したように、本発明によれば、側面視でアンテナ収容凹部を防水シートの糊代と防水パッキンとの間に配置すると共に、背面視で糊代をアンテナ収容凹部近傍まで延ばして防水パッキンとアンテナとが重なるようにしたことにより、携帯端末の幅を大きくすることなく、充電池を確実に防水しながら、伸縮式アンテナを配置することができる。
【図面の簡単な説明】
【００１１】
【図１】図５のＩ部拡大断面図である。
【図２】本発明の実施形態に係る携帯電話機を正面側から見た斜視図である。
【図３】携帯電話機を背面側から見た分解斜視図である。
【図４】リアカバーを外した状態の携帯電話機を背面側から見た斜視図である。
【図５】図２のＶ−Ｖ線断面図である。
【発明を実施するための形態】
【００１２】
以下、本発明の実施形態を図面に基づいて説明する。
【００１３】
図２は、本発明の実施形態に係る携帯端末としての携帯電話機１を正面側から見た斜視図であり、図３は、その携帯電話機１を背面側から見た分解斜視図である。図４は、リアカバーを外した状態の携帯電話機１を背面側から見た斜視図であり、図５は、図２のＶ−Ｖ線断面図である。携帯電話機１は、正面に表示部２を収容する正面側キャビネット３を備えている。この正面側キャビネット３は、矩形板状の金属フレーム３ａがインサート成形され、その正面側に液晶ディスプレイ、タッチパネル等を有する表示部２が収容されている。金属フレーム３ａを覆う正面側キャビネット３の樹脂製枠の背面側には、平坦なパッキン押圧部３ｂが矩形枠状に形成されている。
【００１４】
図１は、図５のＩ部拡大断面図である。正面側キャビネット３の背面側には、例えば樹脂成形品よりなる背面側キャビネット４がボルト等により結合されている。その背面側を矩形皿状のリアカバー５が着脱自在に覆っている。背面側キャビネット４は、パッキン押圧部３ｂに対応して枠状のパッキン収容溝４ａが凹陥されている。このパッキン収容溝４ａに矩形板状の防水パッキン６をはめ込み、正面側キャビネット３と背面側キャビネット４とを結合すると、防水パッキン６が防水効果を発揮するようになっている。そして、背面視で、背面側キャビネット４におけるパッキン収容溝４ａよりも内側には、背面視矩形状の電池収容部４ｂが開口形成されている。この電池収容部４ｂには、矩形板状の充電池７が収容されている。電池収容部４ｂの周縁には、平坦な防水シート貼付部４ｃが枠状に設けられている。そして、この防水シート貼付部４ｃに枠状の両面テープ８によって、充電池７よりも一回り大きな矩形状の防水シート９が貼り付けられている。つまり、防水シート貼付部４ｃに防水シート９の周縁の糊代９ａが貼り付けられることで、電池収容部４ｂ内の充電池７が密閉状に覆われている。このように、防水パッキン６及び防水シート９により、正面側キャビネット３と背面側キャビネット４との合わせ面及び電池収容部４ｂにおいて防水機能が発揮されている。一方で、背面側キャビネット４とリアカバー５との間は防水機能は、発揮されていない。
【００１５】
そして、背面側キャビネット４周縁におけるリアカバー５側の防水パッキン６による防水領域外には、例えば断面円弧状内面を有するアンテナ収容凹部１０が電池収容部４ｂに沿って上下に延びるように凹陥されている。このアンテナ収容凹部１０には、伸縮式アンテナ１１が伸縮自在に収容されている。例えば、伸縮式アンテナ１１は、芯材となる丸鋼と、これを外側から覆う金属製パイプとが重ね合わされ部分とを有する。アンテナ収容凹部１０の長さが長いと、金属製パイプを何層にもしなくてよいので、伸縮式アンテナ１１の外径を小さくでき、携帯電話機１の幅を増やさないために有利である。図１に示すように、アンテナ収容凹部１０は、内径が伸縮式アンテナ１１の最大径よりも一回り大きな断面円弧状であり、電池収容部４ｂの周壁に沿う背面側壁部１０ａは、伸縮式アンテナ１１の中心よりも幅方向外側まで延びているので、伸縮式アンテナ１１との間に爪等を挟み込んで伸縮式アンテナ１１を無理やり取り出し難くなっている。伸縮式アンテナ１１は、背面側キャビネット４と同じ彩色の樹脂製パイプ状のアンテナカバー１２で覆われている。このため、見映えがよくなり、背面側壁部１０ａとの間の隙間も小さくなってよい。図３及び図４に示すように、アンテナカバー１２の先端は、アンテナ固定部１３で支持され、このアンテナ固定部１３がビス１４で背面側キャビネット４に固定されている。アンテナ固定部１３に図示しないメイン基板を電気的に接続することで、伸縮式アンテナ１１で受信した信号をメイン基板に伝達可能となっている。伸縮式アンテナ１１の先端には、背面側キャビネット４と同じ合成樹脂よりなるツマミ部１５が取り付けられ、伸縮式アンテナ１１の伸縮の際につまんで引き出し可能となっている。リアカバー５で覆われたときに、アンテナカバー１２及びアンテナ固定部１３は隠れ、ツマミ部１５のみが露出している。
【００１６】
図１に示すように、アンテナ収容凹部１０は、側面視で防水シート９の糊代９ａと、防水パッキン６との間の厚さ方向で狭い位置に収納されている。しかも、背面視で糊代９ａはアンテナ収容凹部１０近傍まで幅を広げて延びると共に、防水パッキン６と伸縮式アンテナ１１とが重なっている。つまり、アンテナ収容凹部１０と、糊代９ａと、防水パッキン６とは、互いにできるだけ近付いて配置されている。
【００１７】
このように、アンテナ収容凹部１０を防水パッキン６の防水領域外に設けたので、伸縮式アンテナ１１を伸縮自在にリアカバー５で覆っても、内部に水が浸入しない。
【００１８】
また、伸縮式アンテナ１１の位置を背面から見て防水パッキン６上に設け、しかも、糊代９ａをアンテナ収容凹部１０に近付けているので、携帯電話機１の幅が増えない。
【００１９】
したがって、本発明の携帯電話機１によれば、充電池７を確実に防水しながら、伸縮式アンテナ１１を配置することができる。
【００２０】
（その他の実施形態）
本発明は、上記実施形態について、以下のような構成としてもよい。
【００２１】
すなわち、上記実施形態では、アンテナ収容凹部１０を携帯電話機１の左右側面に設けたが、その位置は特に限定されず、上下側面でもよい。この場合でも、アンテナ収容凹部１０は、電池収容部４ｂの周壁に沿って設けるとよい。
【００２２】
上記実施形態では、携帯端末は、携帯電話機１としたが、伸縮式のアンテナと充電池を有するものであれば、ＰＨＳ（Personal Handy-phone System ）、ＰＤＡ(Personal Digital Assistant)、パソコン、モバイルツール、電子辞書、電卓、ゲーム機等であってもよい。
【００２３】
なお、以上の実施形態は、本質的に好ましい例示であって、本発明、その適用物や用途の範囲を制限することを意図するものではない。また、各実施形態に記載された技術的特徴は、互いに組合せ可能であり、組み合わせることにより、新しい技術的特徴を形成することができる。
【産業上の利用可能性】
【００２４】
以上説明したように、本発明は、伸縮式アンテナを有する携帯電話機などの携帯端末について有用である。
【符号の説明】
【００２５】
１      携帯電話機（携帯端末）
２      表示部
３      正面側キャビネット
３ａ    金属フレーム
３ｂ    パッキン押圧部（当接面）
４      背面側キャビネット
４ａ    パッキン収容溝
４ｂ    電池収容部
４ｃ    防水シート貼付部
５      リアカバー
６      防水パッキン
７      充電池
８      両面テープ
９      防水シート
９ａ    糊代
１０      アンテナ収容凹部
１０ａ    背面側壁部
１１      伸縮式アンテナ
１２      アンテナカバー
１３      アンテナ固定部
１４      ビス
１５      ツマミ部
【図１】
2014068054.tif 000003
【図２】
2014068054.tif 000004
【図３】
2014068054.tif 000005
【図４】
2014068054.tif 000006
【図５】
2014068054.tif 000007